(57)【特許請求の範囲】
【請求項１】
上コイルベース及び下コイルベースと、前記上コイルベース及び下コイルベースにそれぞれ巻かれる上コイル及び下コイルとを備えるステータモジュールと、
レンズモジュール及び前記レンズモジュールを囲む永久磁石を備え、且つ前記ステータモジュールに相対して移動するロータモジュールと、
を備えるカメラ用自動焦点調節装置であって、
前記上コイルベースと前記下コイルベースとの間に配置され且つ前記レンズモジュールを囲み、少なくとも一つの弾片を備える弾性部材をさらに備え、
前記弾片は、前記ステータモジュールに接続する固定端及び前記ロータモジュールに接続する移動端を含み、前記上コイル及び前記下コイルに通電して生じる磁場と前記磁石の磁場との間の作用力によって前記ロータモジュールが移動する過程において、前記移動端も前記ロータモジュールに従って移動して、前記弾片を変形させ、前記上コイルベースと前記下コイルベースとの間に収容空間が形成され、前記収容空間の高さが前記永久磁石の高さ及び前記弾性部材の高さの和より大きく、前記弾性部材と前記永久磁石が共同に前記収容空間に収容されることを特徴とするカメラ用自動焦点調節装置。
【請求項２】
前記弾性部材は、離れている内環及び外環をさらに備え、前記弾片は、前記内環と前記外環との間に接続されることを特徴とする請求項１に記載のカメラ用自動焦点調節装置。
【請求項３】
前記弾片において、前記外環に接続する一端が固定端であって、前記内環に接続する一端が移動端であって、前記外環が前記ステータモジュールに固定され、前記内環が前記ロータモジュールに固定されることを特徴とする請求項２に記載のカメラ用自動焦点調節装置。
【請求項４】
前記弾性部材の外環は、前記ステータモジュールの上コイルベース及び下コイルベースの中の一つに固定され、前記弾性部材の内環は、前記ロータモジュールの永久磁石に固定されることを特徴とする請求項２に記載のカメラ用自動焦点調節装置。
【請求項５】
前記弾片において、前記外環に接続する一端が移動端であって、前記内環に接続する一端が固定端であって、前記外環が前記ロータモジュールに固定され、前記内環が前記ステータモジュールに固定されることを特徴とする請求項２に記載のカメラ用自動焦点調節装置。
【請求項６】
前記弾性部材の内環は、前記ステータモジュールの上コイルベース及び下コイルベースの中の一つに固定され、前記弾性部材の外環は、前記ロータモジュールの永久磁石に固定されることを特徴とする請求項５に記載のカメラ用自動焦点調節装置。
【請求項７】
前記弾片の移動端と固定端は、同平面上に置かれることを特徴とする請求項２に記載のカメラ用自動焦点調節装置。
【請求項８】
前記レンズモジュールは、鏡筒及び前記鏡筒内に装着されるレンズを備え、前記鏡筒の外周面に階段部が形成され、前記永久磁石は、前記鏡筒の外周面を囲んで設けられ、前記弾性部材の外環は、前記ステータモジュールの下コイルベースに固定され、前記弾性部材の内環は、前記永久磁石に固定され且つ前記永久磁石と前記階段部との間に挟持されることを特徴とする請求項７に記載のカメラ用自動焦点調節装置。
【請求項９】
前記弾片の移動端と固定端は、軸線方向に沿って、異なる高さを有することを特徴とする請求項２に記載のカメラ用自動焦点調節装置。
【請求項１０】
前記レンズモジュールは、鏡筒及び前記鏡筒に装着されるレンズを備え、前記鏡筒の外周面に階段部が形成され、前記永久磁石は、前記鏡筒の外周面を囲んで設けられ、前記弾性部材の外環は、前記ステータモジュールの上コイルベースに固定され、前記弾性部材の内環は、前記永久磁石に固定され且つ前記永久磁石と前記階段部との間に挟持されることを特徴とする請求項９に記載のカメラ用自動焦点調節装置。
【請求項１１】
前記弾性部材は、前記ステータモジュールに固定された外環をさらに備え、前記弾片の一端は、前記外環の内側に接続する固定端であって、前記弾片の他端は、前記ロータモジュールに接続する固定端であることを特徴とする請求項１に記載のカメラ用自動焦点調節装置。
【請求項１２】
前記弾片の固定端は、前記ステータモジュールの上コイルベースと下コイルベースのうちの一つに接続し、前記弾片の移動端は、前記ロータモジュールの永久磁石に接続することを特徴とする請求項１に記載のカメラ用自動焦点調節装置。
【請求項１３】
前記レンズモジュールの外周面に階段部が形成され、前記永久磁石は、前記階段部の上に設けられ且つ前記レンズモジュールに固定されることを特徴とする請求項１に記載のカメラ用自動焦点調節装置。
【請求項１４】
前記上コイルベースは、頂板と、前記頂板の下に設けられる底板と、前記頂板と前記底板との間に設けられる環形壁と、を備え、前記下コイルベースは、ベースと、前記ベースの上方に設けられる頂板と、前記ベースと前記頂板との間に設けられる環形壁と、を備え、前記上コイルベースの底板と前記下コイルベースの頂板との間に前記収容空間が形成されることを特徴とする請求項１ないし請求項１３のいずれの一項に記載のカメラ用自動焦点調節装置。
【発明の詳細な説明】
【技術分野】
【０００１】
本発明は、カメラ用自動焦点調節装置に係わり、特にカメラ付き携帯電話などのような電子装置に応用される自動焦点調節装置に関するものである。
【背景技術】
【０００２】
デジタル技術の発展に従って、携帯電話、ＰＤＡ（個人情報端末）などの携帯電子装置が小型化、多機能化の方向へ発展している。携帯電子装置の小型化を実現するために、前記携帯電子装置に用いるデジタルカメラ及びこのデジタルカメラに用いるレンズモジュールを小型化するように設計する必要がある。
【０００３】
従来のカメラ用レンズモジュールは、二段式焦点調節装置と自動焦点調節装置とを含む。従来の二段式焦点調節装置は、ただ遠焦点及び近焦点の２つの位置で焦点を調節することができ、カメラから撮影する過程において、焦点を連続に調節することができなく、従ってカメラの画像に影響を与える可能性がある。従来の自動焦点調節装置は、構造が複雑であり、体積が大きいので、携帯電子装置の小型化に影響を与える。
【発明の概要】
【発明が解決しようとする課題】
【０００４】
以上の問題点に鑑み、本発明は、構造が簡単であって、且つ焦点を連続に調節することができるカメラ用自動焦点調節装置を提供することを目的とする。
【課題を解決するための手段】
【０００５】
上コイルベース及び下コイルベースと、前記上コイルベース及び下コイルベースにそれぞれ巻かれる上コイル及び下コイルとを備えるステータモジュールと、レンズモジュール及び前記レンズモジュールを囲む永久磁石を備え、且つ前記ステータモジュールに相対して移動するロータモジュールと、を備えるカメラ用自動焦点調節装置であって、前記上コイルベースと前記下コイルベースとの間に配置され且つ前記レンズモジュールを囲み、少なくとも一つの弾片を備える弾性部材をさらに備え、前記弾片は、前記ステータモジュールに接続する固定端及び前記ロータモジュールに接続する移動端を含み、前記上コイル及び前記下コイルに通電して生じる磁場と前記磁石の磁場との間の作用力によって前記ロータモジュールが移動する過程において、前記移動端も前記ロータモジュールに従って移動して、前記弾片を変形させる。
【発明の効果】
【０００６】
従来の技術と比べて、本発明のカメラ用自動焦点調節装置は、少なくとも一つの弾片を有する弾性部材を備え、前記弾片は、前記ステータモジュールに連接する固定端及び前記ロータモジュールに連接する移動端を含み、前記上コイル及び前記下コイルに通電して生じる磁場と磁石の磁場との間の作用力によって、前記ロータモジュールが移動する時、前記弾片の移動端も前記ロータモジュールに従って移動し、従って前記弾片を変形させる。前記上コイル及び前記下コイルに供給する電流を制限することにより、前記弾性部材の弾片が変形して生じる弾力と前記上コイル及び前記下コイルに通電して生じる磁場及び前記磁石の磁場との間の作用力が平衡状態になり、前記ロータモジュールのレンズモジュールを異なる焦点の位置に移動させ、前記レンズモジュールの焦点を連続に調節することができる。
【０００７】
前記カメラ用自動焦点調節装置は、前記弾片によって自動焦点調節装置を実現することができ、構造が簡単である。前記ステータモジュールは、上コイルベース及び下コイルベースと、前記上コイルベース及び前記下コイルベースにそれぞれ巻かれる上コイル及び下コイルと、を含み、前記上コイル及び下コイルに通電して生じる磁場が共同に前記磁石に作用するため、前記上コイル及び下コイルに供給する電流量を減少することができ、焦点調節過程における起動速度が速くなる。焦点を調節する時、前記上コイル及び前記下コイルに供給する電流量と前記弾片の変形量との線形関係が明らかになり、焦点を連続に調節することを便利に制限することができる。
【図面の簡単な説明】
【０００８】
【図１】本発明に係る自動焦点調節装置の第一実施形態の立体組立図である。
【図２】図１に示す立体分解図である。
【図３】図１のIII−III方向に線に沿う断面図である。
【図４】図１に示す弾性部材の拡大図である。
【図５】本発明に係る自動焦点調節装置の弾性部材の第二実施形態の立体図である。
【図６】図５に示す弾性部材の正視図である。
【図７】図５に示す弾性部材を配置した自動焦点調節装置の断面図である。
【図８】本発明に係る自動焦点調節装置の弾性部材の第三実施形態の立体図である。
【図９】図８に示す弾性部材の正視図である。
【図１０】本発明に係る自動焦点調節装置の第四実施形態の立体組立図である。
【発明を実施するための形態】
【０００９】
以下、図面を参照しながら、本発明に係る具体的実施例の構成を詳細に説明する。
【００１０】
図１〜図３は、本発明の第一実施形態に係るカメラ用自動焦点調節装置を示す図である。前記カメラ用自動焦点調節装置は、デジタルカメラや、携帯電話に付されるカメラや、撮影モニターなどのような撮影レンズを有する設備に用いることができる。前記カメラ用自動焦点調節装置は、枠体１０と、前記枠体１０の内部に設置されるステータモジュール２０と、前記ステータモジュール２０に相対して移動可能なロータモジュール３０と、を備える。
【００１１】
図２に示したように、前記枠体１０は、中空の略直方体であり、側壁１２及び該側壁１２の頂端から内側に向かって伸び出す頂壁１４を備える。前記枠体１０の内部には、前記ステータモジュール２０及び前記ロータモジュール３０を収容する方柱形の収容空間１３が形成される。前記側壁１２の底端の隣接する二つの隅部に二つの切欠角１５がそれぞれ形成される。
【００１２】
図３を同時に参考すると、前記ステータモジュール２０は、上コイルベース２１ａ及び下コイルベース２１ｂと、前記上コイルベース２１ａ及び前記下コイルベース２１ｂにそれぞれ巻かれる上コイル２２ａ及び下コイル２２ｂを備える。前記上コイルベース２１ａの構造は、前記下コイルベース２１ｂの構造と大体同じであり、液晶ポリマ（Ｌｉｑｕｉｄ  Ｃｒｙｓｔａｌｉｎｅ  Ｐｏｌｙｍｅｒ，ＬＣＰ）などのようなプラスチック材料で製造する。前記上コイルベース２１ａを前記下コイルベース２１ｂに対応して組み立てると、前記ロータモジュール３０を収容する中空部（図示せず）が形成される。
【００１３】
前記上コイルベース２１ａは、中心に円穴２１２ａが設けられる方形の頂板２１１ａと、前記頂板２１１ａの円穴２１２ａの内縁から下に向かって伸び出し且つ前記頂板２１１ａに直交する環形壁２１３ａと、前記環形壁２１３ａの底端から外に向かって伸び出し且つ前記環形壁２１３ａに直交する底板２１５ａと、前記底板２１５ａの外周縁から下に向かって伸び出し且つ前記底板２１５ａに直交する４つのガイド壁２１７ａと、を備える。前記底板２１５ａは、八辺形であって、前記ガイド壁２１７ａは、前記底板２１５ａの隔てる４つの側辺に形成される。隣接する二つのガイド壁２１７ａの頂端から外に向かって且つ水平方向に沿って二つの端子２１８ａが伸び出す。
【００１４】
前記下コイルベース２１ｂは、中心に円穴２１２ｂが設けられる方形のベース２１１ｂと、前記ベース２１１ｂの円穴２１２ｂの内縁から内に向かって伸び出して形成される環状の階段部２１４と、前記ベース２１１ｂの円穴２１２ｂの内縁から上に向かって伸び出し且つ前記底板２１１ｂに直交する環形壁２１３ｂと、前記環形壁２１３ｂの頂端から外に向かって伸び出し且つ前記環形壁２１３ｂに直交する頂板２１５ｂと、前記頂板２１５ｂの外周縁から上に向かって伸び出し且つ前記頂板２１５ｂに直交する４つのガイド壁２１７ｂと、を備える。前記頂板２１５ｂは、八辺形であって、前記ガイド壁２１７ｂは、前記頂板２１５ｂの隔てる４つの側辺に形成される。前記ガイド壁２１７ｂ毎の中央に方形のガイド槽２１６が形成される。前記ベース２１１ｂの隣接する二つの隅部には、切欠部（図示せず）がそれぞれ形成される。前記切欠部毎に端子２１８ｂが形成される。前記ベース２１１ｂの底端には、感光素子（図示せず）を収容する空間２１９（図３に示したように）が形成される。
【００１５】
図２及び図３を参考すると、前記ロータモジュール３０は、レンズモジュール３１と、前記レンズモジュール３１の外周面を囲む永久磁石３２及び弾性部材３３を備える。前記レンズモジュール３１は、鏡筒３１０及び該鏡筒３１０内に装着されるレンズ３１２を備える。前記弾性部材３３は、内環３３１と、外環３３３と、前記内環３３１と前記外環３３３との間に接続される複数の弾片３３５と、を備える。
【００１６】
図４を参考すると、前記弾性部材３３のサイズ及び形状は、前記上コイルベース２１ａの底板２１５ａ及び前記下コイルベース２１ｂの頂板２１５ｂのサイズ及び形状と大体同じである。前記内環３３１と前記外環３３３は八辺形であり、前記内環３３１の中心に直径が前記永久磁石３２の内径と同じである円孔３３６が設けられる。前記内環３３１と前記外環３３３との間に間隔があり、前記弾片３３５は、前記内環３３１と前記外環３３３との間に設けられ、且つ前記内環３３１の外周縁と前記外環の内周縁に接続する。前記弾片３３５毎は、前記外環３３３に連接する固定端及び前記内環３３１に連接する移動端を含む。前記内環３３１と、前記外環３３３及び前記弾片３３５は、前記ロータモジュール３０の中心軸線の方向に直交する同平面上に位置する。前記外環３３３の外周縁の隔てる４つの辺には、外側に向かって水平方向に沿って案内部３３２が伸び出して形成される。
【００１７】
前記弾性部材３３、前記ステータモジュール２０及び前記ロータ３０を組み立てる時、前記ロータモジュール３０を前記ステータモジュール２０の中空部内に収容して、前記鏡筒３１０の底端を前記下コイルベース２１ｂの階段部２１４の上表面に当接させ、且つ前記永久磁石３２と前記弾性部材３３で前記鏡筒３１０の外周面を被せてから、前記永久磁石３２、前記弾性部材３３及び前記鏡筒３１０を一緒に前記上コイルベース２１ａの底板２１５ａと前記下コイルベース２１ｂの頂板２１５ｂとの間に形成される収容空間２６の内部に収容する。前記収容空間２６の高さは、前記永久磁石３２の高さ及び弾性部材３３の高さの和より高い。前記案内部３３２を前記下コイルベース２１ｂのガイド壁２１７ｂのガイド槽２１６内に収容する。前記弾性部材３３において、直径方向に沿う弾性係数Ｋ1が軸線方向に沿う弾性係数Ｋ２より大きい。本実施形態において、前記弾性部材３３の材料は銅であって、その直径方向に沿う弾性係数Ｋ1が大体３×１０４N/ｍであって、前記直径方向に沿う弾性係数Ｋ１が軸線方向に沿う弾性係数Ｋ２の１００倍である。
【００１８】
前記弾性部材３３の内環３３１は、前記鏡筒３１２の底部の外周に形成される環状の階段部３１３の上に置かれ、前記永久磁石３２は、前記弾性部材３３の上に置かれ、前記弾性部材３３の内環３３１は、前記階段部３１３と前記永久磁石３２との間に挟持される。前記弾性部材３３の内環３３１は、前記永久磁石３２の外表面に粘着され、前記永久磁石３２の内表面は、前記鏡筒３１０の外表面に粘着されるため、前記弾片３３５の移動端は、前記内環３３１によって前記永久磁石３２及び前記レンズモジュール３１に接続して前記ステータモジュール２０に相対して移動することができる状態となる。前記弾性部材３３の外環３３３は、前記下コイルベース２１ｂの頂板２１５ｂに固定されるため、前記弾片３３５の固定端は、前記外環３３３によって前記ステータモジュール２０に固定される。
【００１９】
前記上コイル２２ａ及び前記下コイル２２ｂを所定の方向に沿って前記上コイルベース２１ａの環形壁２１３ａの外周面及び前記下コイルベース２１ｂの環形壁２１３ｂの外周面にそれぞれ巻き付ける。前記上コイル２２ａは、前記上コイルベース２１ａの頂板２１１ａ及び底板２１５ａとの間に置かれ、前記下コイル２２ｂは、前記下コイルベース２１ｂの頂板２１５ｂ及びベース２１１ｂとの間に置かれる。前記上コイル２２ａの両端と前記下コイル２２ｂの両端を前記上コイルベース２１ａの端子２１８ａと前記下コイルベース２１ｂの端子２１８ｂにそれぞれ巻き付けるともに、前記カメラの内部電源に接続して電気回路を構成する。
【００２０】
カメラを使う時、前記感光素子によって結像した後、前記上コイル２２ａ及び下コイル２２ｂに通電して生じる磁場と前記永久磁石３２の磁場との間の作用力によって、前記レンズモジュール３１と前記永久磁石３２とを前記ステータモジュール２０の内部で移動させ、カメラの焦点を調節する。
【００２１】
前記ロータモジュール３０が前記ステータモジュール２０に相対して移動する過程において、前記弾性部材３３の弾片３３５の移動端は、前記ステータモジュール２０に接続する固定端に相対して軸線方向に沿って移動する。前記弾性部材３３の弾片３３５が軸線方向に沿って異なる程度に変形して生じる弾力が異なるから、前記永久磁石３２の磁場強度が変わらない場合、前記上コイル２２ａと前記下コイル２２ｂを流れる電流を変えて、前記弾片３３５の移動端が固定端に相対して変形する程度を改変して、前記レンズモジュール３１が軸線方向に沿って移動する距離を制限する。前記弾性部材３３の弾片３３５が変形して生じる弾力と前記上コイル２２ａ及び前記下コイル２２ｂに通電して生じる磁場及び前記永久磁石３２の磁場の間の作用力が平衡状態になると、前記レンズモジュール３１は、対応する焦点の位置に置かれるから、焦点を連続的に調節することができる。
【００２２】
次に、例を挙げて説明します。前記永久磁石３２の上方がＮ極であり、下方がＳ極であると仮定する。前記感光素子によって結像した後、前記上コイル２２ａ及び前記下コイル２２ｂに０.２アンペア（Ａ）の電流を供給すると、前記上コイル２２ａにおいて上方がＮ極であって、下方がＳ極である磁場を生じ、且つ前記下コイル２２ｂにおいて上方がＳ極であって下方がＮ極である磁場を生じる。前記上コイル２２ａの磁場と前記永久磁石３２の磁場とが互いに引き合い、前記下コイル２２ｂの磁場と前記永久磁石３２の磁場とが互いに反発するため、前記レンズモジュール３１と前記永久磁石３２を軸線方向に沿って上へ移動させる。この時、前記弾片３３５の移動端も前記永久磁石３２と一緒に軸線方向に沿って上へ移動し、前記弾片３３５の移動端が固定端に相対して変形する度合いがだんだん大きくなる。
【００２３】
前記レンズモジュール３１と前記永久磁石３２が軸線方向に沿って上へ０.２センチメートルほど移動する時、前記弾性部材３３の弾片３３５が軸線方向に沿って上へ０.２センチメートルほど変形して生じる弾力と、前記上コイル２２ａ及び前記下コイル２２ｂに０.２アンペアの電流を供給して生じる磁場及び前記永久磁石３２の磁場の間の作用力が平衡状態になると、前記レンズモジュール３１が前記焦点の位置に置かれる。前記弾性部材３３において、直径方向に沿う弾性係数Ｋｌが軸線方向に沿う弾性係数Ｋ２より大きいから、前記永久磁石３２の円周方向に沿う磁場が均一しない場合に前記レンズモジュール３１の移動がアンバランスすることを避けることができ、従って、焦点を正確に調節することができる。
【００２４】
本発明の弾性部材の構造は、上述の実施例に限定されるものではない。図５及び図６は、本発明に係るカメラ用自動焦点調節装置の弾性部材３３の第二実施例である。弾性部材３３ａの構造は、前記第一実施例における弾性部材３３の構造と大体同じであって、内環３３１ａと、外環３３３ａと、前記内環３３１ａと前記外環３３３ａとの間に接続する複数の弾片３３５ａと、を備え、且つ前記内環３３１ａと前記外環３３３ａとの間に間隔がある。前記第一実施例における弾性部材３３に比べて、前記弾性部材３３ａの前記弾片３３５ａは、前記外環３３３ａの内周縁から前記内環３３１ａの外周縁に至る方向に沿って上へ螺旋状に伸び出して、前記内環３３１ａと前記外環３３５ａが軸線方向に沿って異なる高さを有することにする。
【００２５】
組み立てる時、前記弾性部材３３ａの外環３３３ａ（または内環３３１ａ）を前記ステータモジュール２０の上コイルベース２１ａまたは下コイルベース２１ｂに固定し、前記弾性部材３３ａの内環３３１ａ（または外環３３３ａ）を前記永久磁石３２に固定し、前記弾片３３５ａの前記内環３３１ａ（または外環３３３ａ）に接続する一端が移動端であって、前記弾片３３５ａの前記外環３３３ａ（または内環３３１ａ）に接続する一端が固定端である。前記上コイル２２ａ及び前記下コイル２２ｂに通電して生じる磁場と前記永久磁石３２の磁場との間の作用力によって、前記ロータモジュール３０を移動させてカメラの焦点を調節する過程において、前記弾片３３ａの移動端が前記ロータモジュール３０に従って移動して、前記弾片３３５ａを異なる程度に変形させ、焦点を連続的に調節することができる。
【００２６】
図７に示したように、前記弾性部材３３ａを配置したカメラ用自動焦点調節装置の断面図である。前記弾性部材３３ａの外環３３３ａは、前記ステータモジュール２０の上コイルベース２１ａの底板２１５ａに粘着され、前記弾性部材３３ａの内環３３１ａは、前記永久磁石３２の頂端に粘着され、前記弾性部材３３ａは、前記永久磁石３２の上に設けられ、前記永久磁石３２は、前記鏡筒３１０の階段部３１３の上に設けられ且つ前記弾性部材３３ａの内環３３１ａと前記階段部３１３との間に挟持される。前記弾片３３５ａの前記外環３３３ａに接続する一端が固定端であって、前記弾片３３５ａの前記内環３３１ａに接続する一端が移動端である。
【００２７】
前記永久磁石３２の上方がＮ極であり、下方がＳ極であると仮定する。前記上コイル２２ａ及び前記下コイル２２ｂに通電すると、前記上コイル２２ａに上方がＮ極であって下方がＳ極である磁場を生じ、且つ前記下コイル２２ｂに上方がＳ極であって下方がＮ極である磁場を生じる。前記上コイル２２ａに生じる磁場と前記永久磁石３２の磁場が互いに引き合い、前記下コイル２２ｂに生じる磁場と前記永久磁石３２の磁場が互いに反発するため、前記レンズモジュール３１及び前記永久磁石３２を軸線方向に沿って上へ移動させて、カメラの焦点を調節する。前記弾片３３５ａの移動端（即ち内環３３１ａに接続する一端）が前記ロータモジュール３０に従って前記固定端（即ち外環３３３ａに接続する一端）に対して移動するため、前記弾片３３５ａを異なる程度に変形させ、カメラの焦点を連続に調節することができる。
【００２８】
他の実施例において、前記弾性部材３３，３３ａの内環３３１，３３１ａを前記ステータモジュール２０の上コイルベース２１ａ及び下コイルベース２１ｂの中の一つに固定し、前記外環３３３，３３３ａを前記永久磁石３２に固定して、前記弾片３３，３３ａの前記内環３３１，３３１ａに接続する一端を固定端として、前記外環３３３，３３３ａに接続する一端を移動端とする。
【００２９】
図８及び図９は、本発明に係るカメラ用自動焦点調節装置の弾性部材３３ｂの第三実施例である。前記弾性部材の構造と前記第二実施例における弾性部材３３ａの構造が大体同じであって、外環３３３ｂと、前記外環３３３ｂの内周縁から上へ螺旋状に伸び出す弾片３３５ｂと、を含む。前記第二実施例における弾性部材３３ａに比べて、第三実施例における弾性部材３３ｂには、内環３３１ａが設置されず、前記弾片３３５ｂは、円周方向に沿って前記外環３３３ｂの内側に均一に分布される。組み立てる時、前記弾性部材３３ｂの外環３３３ｂを前記ステータモジュール２０に固定し、前記弾片３３５ｂの前記外環３３３ｂに接続する一端が固定端であって、その他端が前記永久磁石３２に接続する移動端である。
【００３０】
本発明に係るカメラ用自動焦点調節装置は、少なくとも一つの弾片を有する弾性部材を備え、前記弾片は、ステータモジュールに接続する固定端及びロータモジュールに接続する移動端を含む。上コイル及び下コイルに通電して生じる磁場と磁石の磁場との間の作用力によって、前記ロータモジュールを移動させてカメラの焦点を調節する過程において、前記弾性部材の移動端が前記ロータモジュールに従って移動するため、前記弾片を変形させる。前記上コイル及び前記下コイルに供給する電流を制限することにより、前記弾性部材の弾片が異なる程度に変形して生じる弾力と前記上コイル及び前記下コイルに通電して生じる磁場及び前記磁石の磁場の間の作用力が平衡状態になると、前記ロータモジュールのレンズモジュールを異なる焦点の位置に移動させ、焦点を連続に調節することができる。
【００３１】
前記ステータモジュールは、上コイルベース及び下コイルベースを備え、前記上コイルベース及び前記下コイルベースに上コイル及び下コイルがそれぞれ巻かれる。ただ一つのコイルを備えるステータモジュールと比べて、前記上コイル及び前記下コイルに供給する電流を小さくして、焦点調節過程における起動速度が速くする。前記カメラ用自動焦点調節装置は、前記弾性部材によって焦点を連続に調節することができ、その構造が簡単である。
【００３２】
ステータモジュールの中にただ一つのコイルを設置すると、焦点を連続に調節する時、前記コイルに供給する電流量と前記弾片の変形量との関係が明らかでなく、自動焦点調節を制限することが面倒である。しかし、本発明のカメラ用自動焦点調節装置において、上コイルベース及び下コイルベースに上コイル及び下コイルがそれぞれ巻かれ、焦点を調節する時、前記上コイル及び前記下コイルに供給する電流量と前記弾片の変形量との線形関係が明らかになり、焦点を連続に調節することを便利に制限することができる。
【００３３】
図１０は、本発明の第四実施例に係るカメラ用自動焦点調節装置を示す図である。図１に示すカメラ用自動焦点調節装置に比べて、本実施形態に係わるカメラ用焦点調節装置は、前記下コイルベース２１ｂの両側に別々に配置される二つの連接器２３を更に備える。前記連接器２３は、金属などのような導電材料で製造し、本体２３０と、前記本体２３０の両端に設けられる二つの係合部２３２と、前記本体２３０の一端と隣接する二つの連接脚２３４と、を備える。前記本体２３０は、平板状であって、その長さが前記ベース２１１ｂの長さと等しく、その高さが前記ベース２１１ｂの高さより小さい。前記本体２３０の長手方向に沿って、３つの円孔２３６が等間隔に設けられる。前記ベース２１１ｂには、前記円孔２３６に係合することができる３つの突出部２１０が設けられる。前記係合部２３２は、前記本体２３０の端部から折り曲げられて前記ベース２１１ｂの端子２１８ｂの下端を収容する収容槽（図示せず）を備える。前記連接脚２３４は、別々に前記本体２３０の上側及び下側から前記本体２３０に直交するように伸び出して形成される。
【００３４】
前記コイル２２ａ，２２ｂの端末を前記連接器２３の係合部２３２に電気接続し、前記連接器２３の連接脚２３４を溶接して回路基板に電気接続することにより、前記連接器２３によって前記コイル２２ａ，２２ｂを回路基板に電気接続する。
【符号の説明】
【００３５】
１０      枠体
１２      側壁
１３      収容空間
１４      頂壁
１５      切欠角
２０      ステータモジュール
２１ａ    上コイルベース
２１ｂ    下コイルベース
２２ａ    上コイル
２２ｂ    下コイル
２３      連接器
２６      収容空間
３０      ロータモジュール
３１      レンズモジュール
３２      永久磁石
３３      弾性部材
３３ａ    弾性部材
３３ｂ    弾性部材
２１０    突出部
２１１ａ  頂板
２１１ｂ  ベース
２１２ａ  円穴
２１２ｂ  円穴
２１３ａ  環形壁
２１３ｂ  環形壁
２１４    階段部
２１５ａ  底板
２１５ｂ  頂板
２１６    ガイド槽
２１７ａ  ガイド壁
２１７ｂ  ガイド壁
２１８ａ  端子
２１８ｂ  端子
２１９    空間
２３０    本体
２３２    係合部
２３４    連接脚
２３６    円孔
３１０    鏡筒
３１２    レンズ
３１３    階段部
３３１    内環
３３１ａ  内環
３３２    案内部
３３３    外環
３３３ａ  外環
３３３ｂ  外環
３３５    弾片
３３５ａ  弾片
３３５ｂ  弾片
３３６    円孔
【図１】
0005368163.tif 000002
【図２】
0005368163.tif 000003
【図３】
0005368163.tif 000004
【図４】
0005368163.tif 000005
【図５】
0005368163.tif 000006
【図６】
0005368163.tif 000007
【図７】
0005368163.tif 000008
【図８】
0005368163.tif 000009
【図９】
0005368163.tif 000010
【図１０】
0005368163.tif 000011